(57)【特許請求の範囲】
【請求項１】
接続用コネクタを先端部に有するケーブルを保持するためのケーブル保持固定具であって、
前記接続用コネクタの断面と略同一形状の角穴部が複数形成されたコネクタパネルと、
前記接続用コネクタの幅と略同一の幅であるコの字形状のブラケットとを有し、前記コネクタパネルの前記角穴部に対向する位置に、前記ブラケットを配置したことを特徴とするケーブル保持固定具。
【請求項２】
地面に対して略垂直に立てられたケーブルフレームの側面上部に、前記コの字形状のブラケットおよび前記コネクタパネルが取り付けられ、
前記ケーブルフレームの側面下部には開口部が形成されていることを特徴とする請求項１に記載されたケーブル保持固定具。
【請求項３】
前記ケーブルフレームの前記開口部領域に、棚状の板であるケーブルサポートが取り付けられ、前記ケーブルを束ねて保持するケーブルタイが前記ケーブルサポートに複数形成されていることを特徴とする請求項２に記載されたケーブル保持固定具。
【請求項４】
地面に略水平に設置されるＨ字形状の板であるベースプレートに、前記ケーブルフレームが鉛直に取り付けられていることを特徴とする請求項１乃至請求項３の何れか一に記載されたケーブル保持固定具。
【請求項５】
前記ケーブルを束ねて保持するケーブルタイが、前記ベースプレートに複数形成されていることを特徴とする請求項１乃至請求項４の何れか一に記載されたケーブル保持固定具。
【請求項６】
前記ケーブルの先端に形成されている前記接続用コネクタの長さよりも、前記コの字形状のブラケットと前記角穴部の距離が小さいことを特徴とする請求項１乃至請求項５の何れか一に記載されたケーブル保持固定具。
【発明の詳細な説明】
【０００１】
【発明の属する技術分野】
この発明は、電子計算機器間で相互に情報通信を行う為に用いられるネットワークケーブルの保持固定具に関し、特に、多数の電子計算機間を大量のネットワークケーブルによって接続するためのネットワークケーブル保持固定具に関する。
【０００２】
【従来の技術】
多数のコンピューター間で大容量の情報交換を行うには、大量のネットワークケーブルを、各コンピュータに接続することが必要となる。これらの大量のネットワークケーブルを居住空間に施設することは、保安面と保守面で好ましくないことから、通常、コンピュータを設置した床下にネットワークケーブルを敷設する。しかし、このような大量のネットワークケーブルを床下から接続する際には、以下の様な問題が存在した。
【０００３】
大量のネットワークケーブルの中にコネクタが埋もれてしまい、ネットワークケーブルの先端部、即ち、接続コネクタ部の接続箇所を容易に探し出せず、探し出すのに工数を要するために、敷設作業の工数を増大させる要因となっていた。また、接続コネクタ部が埋もれないようにネットワークケーブルと切り分けた箇所に置く必要があった。
【０００４】
そのため、ネットワークケーブル敷設の現地調整作業には、莫大かつ膨大な工数がかかってしまう。コンピュータ設置後に膨大な工数を要して調整作業を行うということは、その間、システムが導入されているにも関わらず、装置システムが放置状態となってしまうことを意味する。この放置状態が長時間に及ぶと、設置から稼働までに長くて無駄な時間が費やされているといった悪いサービスイメージを顧客に対して与えることとなる。
【０００５】
さらに、コンピュータ設置後の床下でのネットワークケーブルの敷設作業は、コンピュータが高層物で透過性がないため、天井方向からの光が遮られてしまい作業が困難であった。また、作業者の頭上に重量物であるコンピュータがあり、地震等の不測の事態にコンピュータが転倒した場合には、人命に関わる危険が存在した。
【０００６】
以上の工数増加と作業効率の低下という問題を解決するために、ケーブル保持固定具を用いて大量のネットワークケーブルを保持固定することで、作業効率の向上と工数の低減を図っていた。しかし、従来のケーブル保持固定具では、ネットワークケーブル側の接続コネクタ部を保持するために、接続コネクタ部が接続される相手側コネクタと同様の構造を有するダミーコネクタを使用している為、大量にあるネットワークケーブルの本数分だけのダミーコネクタが必要となり、ケーブル保持固定具の製造コストが増加するという問題が発生する。
【０００７】
また、接続コネクタ部を接続する際に、ロック機構作動の確認をする作業が必要となり、大量の接続コネクタ部を全て確認することで工数が増加するという問題や、コンピュータ設置時にケーブル保持固定具を撤去するが、ネットワークケーブルのコネクタロックを解除して取り外す際に、ネットワークケーブル側の接続コネクタ部を破損しやすいという問題があった。
【０００８】
【発明が解決しようとする課題】
従って本願発明は、安全かつ効率的な作業を可能にすると同時に、ダミーコネクタを用いずにネットワークケーブル側の接続コネクタ部を保持することが可能であり、接続コネクタ部が破損しにくい構造を有するケーブル保持固定具を提供することを課題とする。
【０００９】
【課題を解決するための手段】
前記課題を解決するための本願発明のケーブル保持固定具は、接続用コネクタを先端部に有するケーブルを保持するためのケーブル保持固定具であって、前記接続用コネクタの断面と略同一形状の角穴部が複数形成されたコネクタパネルと、前記接続用コネクタの幅と略同一の幅であるコの字形状のブラケットとを有し、前記コネクタパネルの前記角穴部に対向する位置に、前記ブラケットを配置したことを特徴とする。
【００１０】
コネクタパネルに形成された角穴部を介して接続用コネクタを挿入して、コの字形状のブラケットに接続用コネクタを嵌合させることができるため、接続用コネクタおよびケーブルを簡便に保持固定および取り外しすることが可能となる。また、固定するケーブル数に応じた保持器具を個別に用意する必要が無いために、ケーブル保持固定具の製造コストを低減することが可能となる。
【００１１】
また、前記課題を解決するための本願発明のケーブル保持固定具は、地面に対して略垂直に立てられたケーブルフレームの側面上部に、前記コの字形状のブラケットおよび前記コネクタパネルが取り付けられ、前記ケーブルフレームの側面下部には開口部が形成されていることを特徴とする。
【００１２】
ケーブルフレームの側面下部に開口部が形成されていることにより、ケーブル保持固定具の上方に配置された光源からの光を、ケーブル保持固定具の下方に照射することが可能となり、床下でのケーブル配線作業時の照明を十分に確保することが可能となる。また、ケーブルフレームの軽量化を図ることも可能となる。
【００１３】
また、前記課題を解決するための本願発明のケーブル保持固定具は、前記ケーブルフレームの前記開口部領域に、棚状の板であるケーブルサポートが取り付けられ、前記ケーブルを束ねて保持するケーブルタイが前記ケーブルサポートに複数形成されていることを特徴とする。
【００１４】
開口部にケーブルサポートおよびケーブルタイが形成されていることにより、ケーブルフレームの側面上部に取り付けられたコネクタパネル及びコの字形状のブラケットに、接続用コネクタを嵌合させて保持した場合に、地面方向に垂れ下がるケーブルを保持することが可能となり、ケーブル曲げ半径部を形成するようなケーブルの垂れ下がりかたとなって、接続用コネクタに加わるケーブルの荷重を低減することとなる。これにより、接続用コネクタの破損の防止と、接続用コネクタの簡便な取付および取り外しを行うことが可能となる。
【００１５】
また、前記課題を解決するための本願発明のケーブル保持固定具は、地面に略水平に設置されるＨ字形状の板であるベースプレートに、前記ケーブルフレームが鉛直に取り付けられていることを特徴とする。
【００１６】
ケーブルフレームをＨ字形状のベースプレートに鉛直に取り付けることにより、ケーブルフレームを安定して配置することが可能となる。また、Ｈ字形状による開口部を介して床下にケーブルを通すことができるため、作業スペースの縮小と作業効率の向上を図ることが可能となる。
【００１７】
また、前記課題を解決するための本願発明のケーブル保持固定具は、前記ケーブルを束ねて保持するケーブルタイが、前記ベースプレートに複数形成されていることを特徴とする。
【００１８】
ベースプレートにケーブルタイが形成されていることにより、ケーブルフレームの側面上部に取り付けられたコネクタパネル及びコの字形状のブラケットに、接続用コネクタを嵌合させて保持した場合に、地面方向に垂れ下がるケーブルを保持することが可能となり、ケーブル曲げ半径部を形成するようなケーブルの垂れ下がりかたとなって、接続用コネクタに加わるケーブルの荷重を低減することとなる。これにより、接続用コネクタの破損の防止と、接続用コネクタの簡便な取付および取り外しを行うことが可能となる。
【００１９】
また、前記課題を解決するための本願発明のケーブル保持固定具は、前記ケーブルの先端に形成されている前記接続用コネクタの長さよりも、前記コの字形状のブラケットと前記角穴部の距離が小さいことを特徴とする。
【００２０】
接続用コネクタの長さよりも、コの字形状のブラケットと角穴部の距離の方が小さいことにより、角穴部を介して接続用コネクタをコの字形状のブラケットに嵌合させてケーブルを保持した場合に、コネクタパネル面から接続用コネクタの摘み箇所が飛び出した状態となる。このため、接続用コネクタをコネクタパネルから取り外す際に、容易につまみ箇所を手に取ることが可能となり、接続用コネクタの取付及び取り外しを素早く行うことが可能となる。
【００２１】
【発明の実施の形態】
以下に本発明の一実施の形態につき図面を参照して説明する。以下は本発明の一実施形態であって本発明を限定するものではない。
【００２２】
【実施の形態】
本願発明のコネクタ簡易差込式ケーブル保持固定具の構成を図１に示す。先端部にネットワーク用コネクタ１が設けられた複数のネットワークケーブル２を、複数のケーブルタイ３によって狭持して保持する。Ｈ字形の脚部であるベースプレート４は、ケーブル保持固定具を水平面に安定に設置する機能を有しており、ケーブルタイ３を取り付けるための長穴が設けられ、長穴に複数のケーブルタイ３を通して保持する。ベースプレート４に対して鉛直に取り付けられる筐体であるケーブルフレーム５には、光を取り入れるべく大きな角穴９であるケーブルフレーム開口穴６が設けられている。
【００２３】
ネットワークケーブル２のケーブル部分の固定と配線作業においては、ベースプレート４をＨ字形状にすることで、床下への開口部が開けたものとなり、大きな開口面積が確保できる。これにより、図２に示すように、大量のネットワークケーブル２をまとめて床下へ取り込む作業が可能となり、作業の効率化を図ることができる。また、ベースプレート４によって大きな開口面積を確保できる事と、ケーブルフレーム５に目一杯のケーブルフレーム開口穴６を施すことで、天井から床下へ多くの光が取り込まれ、床下の敷設作業を快適なものにして作業の効率化を図ることが可能となる。
【００２４】
コの字形の断面形状を有するブラケットであるコの字形ブラケット７は、ケーブルフレーム５に取り付けられており、複数のネットワーク用コネクタ１を保持する機能を有している。コネクタパネル８は、ネットワーク用コネクタ１を通過可能とする外形サイズの角穴９が形成され、コの字形ブラケット７を覆いながらケーブルフレーム５に取り付けられている。ケーブルフレーム５には、ケーブル曲げ半径部１０を確保するための台であるケーブルサポート１１が取り付けられ、ケーブルサポート１１にはケーブルタイ３を取り付けるための長穴が設けられている。
【００２５】
コの字形ブラケット７およびコネクタパネル８に差し込まれたネットワーク用コネクタ１に、ネットワークケーブル２の重量全てが加わってしまうと、ネットワーク用コネクタ１およびコの字形ブラケット７およびコネクタパネル８が損傷してしまう可能性がある。そのため、ケーブルサポート１１によってネットワークケーブル２を保持することにより、ケーブル曲げ半径部１０を確保して、ケーブル用コネクタ１に加わるネットワークケーブル２の重量を低減するのである。
【００２６】
図２は、本願発明のコネクタ簡易差込式ケーブル保持固定具に、ネットワークケーブル２が保持されている様子を表した図である。ネットワーク用コネクタ１が、コネクタパネル８の角穴９を介して、ケーブルフレーム５に取付けられたコの字形ブラケット７に差し込まれて保持固定されている。また、ネットワーク用コネクタ１から床下へ配線されるネットワークケーブル２のケーブル部分は、ケーブルサポート１１を介して取り付けられたケーブルタイ３に、ケーブル曲げ半径部１０の許容半径を保守しながら固定保持されている。さらに、床下へ続くケーブル部は、ベースプレート４を介して取り付けられたケーブルタイ３で固定保持されている。
【００２７】
ケーブルの中にコネクタが埋もれることがなくなり、コネクタ部をにケーブルと切れ分けた箇所に置くことができる事により、コネクタの破損する危険が回避できる。また、コンピュータ設置時にケーブル保持固定具を撤去する時、ネットワークケーブル２のコネクタロックを解除して取り外す作業が不要となるため、ケーブル側のコネクタを破損する危険を回避できる。さらに、大量にあるケーブルの本数分だけのダミーコネクタを用意する必要が無くなり、コストを低減することが可能となる。
【００２８】
図３に、ネットワーク用コネクタ１がコネクタパネル８の角穴９を介して、コの字形ブラケット７の差し込まれることでコネクタ部の保持固定がされる仕組みを示す。まず、ネットワーク用コネクタ１が、コネクタパネル８に対し垂直に挿入されることで、コネクタパネル８の角穴９を通過する（図３ａおよび図３ｂ）。この角穴９の形状は、ネットワーク用コネクタ１の外形形状からわずかに拡げた形状であるため、本施行によりネットワーク用コネクタ１の回転防止と位置決めが行われる。
【００２９】
さらにネットワーク用コネクタ１をコネクタパネル８に挿入することによって、ネットワーク用コネクタ１はコの字形ブラケット７の懐へ挿入されると同時に、突き当たり面１２に突き当たる（図３ｃ）。これによって、ネットワーク用コネクタ１の上下の揺動が防止される。また、コネクタパネル８の角穴９から突き当たり面１２までの距離は、ネットワーク用コネクタ１が指で摘む事ができるつまみ箇所１３が、コネクタパネル８から突出する程度にネットワーク用コネクタ１が止まるよう最適な距離となっている。
【００３０】
この敷設作業後に、コネクタ簡易差込式ケーブル保持固定具を取り除いてコンピュータを設置し、予め本願発明のケーブル保持固定具で接続先を決めていた箇所に、ネットワーク用コネクタ１を接続する。これにより現地調整作業時間の短縮を図ることができる。また、ネットワーク用コネクタ１の接続箇所を容易に探し出すことができるため、作業工数を削減することができる。コネクタ接続時のロック機構作動の確認をする作業が不要となり、作業工数を削減して作業時間の短縮を図ることが可能となり、顧客に対して、装置設置後に迅速な装置稼動サービスを提供できる。
【００３１】
上述した本願発明の構造により、ネットワーク用コネクタ１は簡易的な差込作業により、容易にコネクタ部の保持が実現できる。同時に、ネットワーク用コネクタ１の取り外し作業においても、ネットワーク用コネクタ１のつまみ箇所１３を指で摘んで真っ直ぐに引き抜くだけで、容易に取り外しを行うことが可能である。
【００３２】
【発明の効果】
コネクタパネルに形成された角穴部を介して接続用コネクタを挿入して、コの字形状のブラケットに接続用コネクタを嵌合させることができるため、接続用コネクタおよびケーブルを簡便に保持固定および取り外しすることが可能となる。また、固定するケーブル数に応じた保持器具を個別に用意する必要が無いために、ケーブル保持固定具の製造コストを低減することが可能となる。また、接続用コネクタの長さよりも、コの字形状のブラケットと角穴部の距離の方が小さいことにより、角穴部を介して接続用コネクタをコの字形状のブラケットに嵌合させてケーブルを保持した場合に、コネクタパネル面から接続用コネクタの摘み箇所が飛び出した状態となる。このため、接続用コネクタをコネクタパネルから取り外す際に、容易につまみ箇所を手に取ることが可能となり、接続用コネクタの取付及び取り外しを素早く行うことが可能となる。
【００３３】
ケーブルフレームの側面下部に開口部が形成されていることにより、ケーブル保持固定具の上方に配置された光源からの光を、ケーブル保持固定具の下方に照射することが可能となり、床下でのケーブル配線作業時の照明を十分に確保することが可能となる。また、ケーブルフレームの軽量化を図ることも可能となる。また、開口部およびベースプレートにケーブルサポートおよびケーブルタイが形成されていることにより、ケーブルフレームの側面上部に取り付けられたコネクタパネル及びコの字形状のブラケットに、接続用コネクタを嵌合させて保持した場合に、地面方向に垂れ下がるケーブルを保持することが可能となり、ケーブル曲げ半径部を形成するようなケーブルの垂れ下がりかたとなって、接続用コネクタに加わるケーブルの荷重を低減することとなる。これにより、接続用コネクタの破損の防止と、接続用コネクタの簡便な取付および取り外しを行うことが可能となる。
【００３４】
ケーブルフレームをＨ字形状のベースプレートに鉛直に取り付けることにより、ケーブルフレームを安定して配置することが可能となる。また、Ｈ字形状による開口部を介して床下にケーブルを通すことができるため、作業スペースの縮小と作業効率の向上を図ることが可能となる。
【図面の簡単な説明】
【図１】  実施の形態のコネクタ簡易差込式ケーブル保持固定具の構成
【図２】  ネットワークケーブルが保持されている様子を表した図
【図３】  コネクタ部の保持固定を行う仕組みを表す図
【符号の説明】
１…ネットワーク用コネクタ
２…ネットワークケーブル
３…ケーブルタイ
４…ベースプレート
５…ケーブルフレーム
６…ケーブルフレーム開口穴
７…コの字型ブラケット
８…コネクタパネル
９…角穴
１０…ケーブル曲げ半径部
１１…ケーブルサポート
１２…突き当たり面
１３…つまみ箇所
【図１】
0003705151.tif 000002
【図２】
0003705151.tif 000003
【図３】
0003705151.tif 000004